(57)【特許請求の範囲】
【請求項１】
手の運動技能が制限された人により操作可能な投薬容器であって、
流体を保持するためのリザーバと、
少なくとも１の選択された用量の流体を保持するため前記リザーバに連結されるように適合されたカップと、
前記カップに連結されるよう適合された回転式キャップと、を含み、
前記回転式キャップが、少なくとも１つの選択された位置に回転して、前記少なくとも１の選択された用量に対応する量の流体を分配するよう更に適合され、前記回転式キャップが、指先の運動技能が阻害された人により把持可能でありかつ回転されるよう適合され、
前記回転式キャップがカップと連結して、回転式キャップとカップが共に動く、即ちカップが回転可能であり、
流体が水などの媒質中に分散されたカルビドパおよびレボドパを含む、
投薬容器。
【請求項２】
前記リザーバが、カルビドパ及びレボドパを含有する流体を保持する、請求項１に記載の投薬容器。
【請求項３】
前記リザーバが少なくとも１つのくぼみを含んで、前記投薬容器を操作する前記人に対して前記容器を特定の方向に配向させる、請求項１または２に記載の投薬容器。
【請求項４】
前記投薬容器が、前記投薬容器が前記人により圧搾される際に、選択された用量の流体で実質的に前記カップを満たすよう適合されている、請求項１−３のいずれか１項に記載の投薬容器。
【請求項５】
前記回転式キャップがフリップ蓋を含み、前記回転式キャップの選択された位置が、前記容器が特定の方向に配向される際に、前記フリップ蓋が前記人から離れる方向へ開放されるよう適合されている、請求項１−４のいずれか１項に記載の投薬容器。
【請求項６】
前記リザーバが、光スペクトルの一部への前記流体の暴露を妨げるよう適合され、前記光スペクトルの一部が、前記流体中に分散された際に、カルビドパ及びレボドパの少なくとも１つの分解を誘発できる、請求項１−５のいずれか１項に記載の投薬容器。
【請求項７】
前記カップの一部に装着されて、前記リザーバから前記カップへ流体を引き込むよう適合されたストローを更に含み、
前記ストローが、前記選択された用量の流体を、約１０％以内の誤差で提供する寸法の内径を有する請求項１−６のいずれか１項に記載の投薬容器。
【請求項８】
前記回転可能なキャップと連結し、かつ回転するよう適合されたスリーブを更に含み、
前記スリーブがその長さに沿って少なくとも１つの開口部を含むよう適合され、各開口部が少なくとも１回の選択された用量に対応し、
前記スリーブが前記カップの柱構造上に嵌るよう更に適合され、前記柱構造及び嵌ったスリーブが、前記リザーバから前記カップ内へ流体を誘導するための細長孔を形成する、請求項１−７のいずれか１項に記載の投薬容器。
【請求項９】
前記リザーバから前記カップへ流体を引き込むためのストローを更に含み、  前記ストローが、前記カップの中心軸線から離れた位置にて前記カップに装着されるよう適合されている、請求項８に記載の投薬容器。
【請求項１０】
パーキンソン病の治療のためのキットであって、
少なくとも１の選択された量の流体を供給するよう適合された請求項１−９のいずれか１項記載の容器と、
濃縮カルビドパ製剤と、
濃縮レボドパ製剤と、
を含み、
前記濃縮カルビドパ製剤及び前記濃縮レボドパ製剤が、該製剤が水中に分散された際に、パーキンソン病患者の治療のための少なくとも１の用量の流体薬物を提供するよう適合されている、
キット。
【請求項１１】
前記濃縮カルビドパ製剤及びレボドパ製剤の少なくとも１つが粉末化製剤である、請求項１０に記載のキット。
【請求項１２】
前記濃縮カルビドパ製剤及び濃縮レボドパ製剤が、カルビドパ対レボドパの約１：４の比を含む、請求項１０記載のキット。
【請求項１３】
前記容器が、
前記濃縮カルビドパ製剤及び前記濃縮レボドパ製剤を有する流体を保持するための流体リザーバと、
前記流体リザーバに連結されるよう適合された回転式キャップと、を含み、前記回転式キャップが、少なくとも１つの選択された位置に回転して、前記少なくとも１の選択された用量の流体薬物に対応する少なくとも１の選択された量の流体を分配するよう更に適合され、前記回転式キャップが、指先の運動技能が阻害された人により把持可能でありかつ回転されるよう適合されている、請求項１０に記載のキット。
【請求項１４】
前記流体リザーバ及び回転式キャップが、前記流体リザーバ及び回転式キャップが共に連結された後に分離を妨げるよう適合されている、請求項１３に記載のキット。
【請求項１５】
選択された用量の液体を供給するよう適合された複数の容器と、
複数の濃縮カルビドパ製剤と、
複数の濃縮レボドパ製剤と、
を更に含む、請求項１０に記載のキット。
【請求項１６】
前記複数の容器、前記複数の濃縮カルビドパ製剤、及び前記複数のレボドパ製剤が全て実質的に互いに同一である、請求項１５に記載のキット。
【請求項１７】
パーキンソン病の治療のための薬物を製造する方法であって、
カルビドパ及びレボドパを含有する少なくとも１種の粉末化製剤が提供される工程と、
カルビドパ及びレボドパが水中に分散される工程と、
選択された用量の分散したカルビドパ及びレボドパを提供するよう適合された、請求項１−９のいずれか１項記載の投薬容器内に、前記分散したカルビドパ及びレボドパが収容される工程を含む、
方法。
【請求項１８】
前記容器が、選択された用量の分散したカルビドパ及びレボドパを、前記容器の流体リザーバから前記リザーバのカップへ移動するために、直立位置に配向されている間に、前記容器が圧搾される工程を更に含む、請求項１７に記載の方法。
【請求項１９】
前記容器が、分散したカルビドパ及びレボドパと共に閉鎖された後、不正操作を妨げるために前記容器がロックされる工程を更に含む、請求項１７に記載の方法。
【発明の詳細な説明】
【技術分野】
【０００１】
本発明は、流体薬物の供給に関し、より詳細には、運動機能が阻害された患者に対する流体薬物の供給に関する。
【背景技術】
【０００２】
パーキンソン病（以後「ＰＤ」）は、中枢神経系の変性疾患であり、罹患した人の運動技能及び言語行動を損ない得る。ＰＤは筋強剛、振盪及び動作緩慢（ブラジキネジア）により特徴づけられ、身体的動作の喪失（アキネジア）をもたらし得る。身体的兆候は、一般に脳のニューロンの損傷を原因とし、これはドーパミン産生の低下を招く。ＰＤは、慢性かつ進行性である。疾病の後期においては、死に至り得る窒息、肺炎及び転倒などの合併症の可能性がある。
【０００３】
ＰＤの治療法は、現在全く知られていない。したがって、治療選択は、一般に、疾病の症状の緩和を試みることに向けられている。治療計画の１つは、例えば緩慢、硬直及び振戦などの症状を緩和するためのレボドパの使用を含む。レボドパは芳香族アミノ酸であり、脳酵素により修飾されてドーパミンを産生することができる。血液中の芳香族Ｌ−アミノ酸脱炭酸酵素の存在は、レボドパが脳に到達する前にレボドパを破壊する傾向がある。したがって、カルビドパなどの芳香族アミノ酸脱炭酸阻害剤を含ませて、レボドパ分解を妨げることができる。レボドパとカルビドパとの組み合わせは、錠剤形態にて患者に投与される。
【０００４】
レボドパとカルビドパとの組み合わせは、ＰＤ患者に幾分かの安堵を与えることができるが、薬物の供給に問題が残っている。運動機能の技能が低下した患者にとって、錠剤の取り扱いは困難かつ厄介であり得る。また、医薬用量の追跡は、相当の努力を必要とし得る。あるＰＤ患者にとっては錠剤の嚥下でさえも問題となり得る。薬物供給の困難さは、患者が処方された治療計画に適切に従うことを妨げる恐れがあり、これは疾病の影響を更に悪化させ得る。
【発明の概要】
【発明が解決しようとする課題】
【０００５】
したがって、運動機能が低下した患者に対するカルビドパ及びレボドパなどの製剤の供給を改善する、改良された方法及び装置が必要である。
【課題を解決するための手段】
【０００６】
本発明のいくつかの態様は、カルビドパ及びレボドパの流体製剤などの流体薬物を分配するための装置及び方法に関する。特に、いくつかの態様は、ＰＤに苦しむ人などの、運動技能が損なわれた患者に対する、それらの流体製剤の供給を補助することができる装置及び方法を含む。
【０００７】
１つの例示的な実施形態は、投薬容器に関する。この投薬容器は、手の運動技能が制限された人によって操作されるよう適合させることができる。このような容器は、流体薬物（例えば、カルビドパ及びレボドパを含有する流体）などの流体を保持するためのリザーバを含むことができる。リザーバは、内部に収容されている流体の、光スペクトラムの一部に対する暴露を妨げるよう適合させることができる。例えば、流体中に分散された際にカルビドパ及びレボドパのいずれか又は両方の分解を誘発できる光を、リザーバの内部領域から好適に妨げることができる。容器は、リザーバに連結され得るカップも含むことができる。カップは、１又はそれ以上の選択された用量の流体を保持するよう適合させることができる。回転式キャップをカップに連結することもでき、１つ又はそれ以上の選択された位置に回転するよう適合させることができる。キャップは、カップに対して回転するよう連結することができ、又は、カップがキャップと共に回転することができる。各選択位置は、選択用量の１に対応する流体の量を分配するためのものであることができる。回転式キャップはまた、指先の運動技能が阻害された人によって把持可能かつ回転可能であるようにも適合させることができる。投薬容器は、この投薬容器が使用者により圧搾される際に、選択された用量の流体で実質的にカップを満たすよう適合させることができる。
【０００８】
投薬容器は、カップの一部に装着されるよう適合された（例えば、カップの中心軸線から離れた位置にて、カップに取り付けられた）、ストローなどの追加の特徴を含むことができる。ストローは、流体をリザーバからカップへ引き込むために使用することができる。ストローは、選択された用量の流体を、約１０％以内の誤差で提供する寸法の内径を有することができる。投薬容器のリザーバは、投薬容器を使用する人に対してこの容器を特定の方向へ配向させるための少なくとも１つのくぼみを含むことができる。容器は、回転式キャップ内の開口部を覆うために使用し得るフリップ蓋も含むことができる。任意にて、容器は、回転式キャップの選択位置が、容器が特定の方向に配向された際に使用者から離れる方向へフリップ蓋が開放するよう決定されるように、適合させることができる。容器のリザーバは、カップに取り付けるためのねじ部分を含むことができ、このねじ部分は、標準的な幼児開封防止に対応するよう適合されている。更に、カップ及び回転式キャップは、このカップ及び回転式キャップが共に連結された後、分離を妨げるよう適合させることができる。
【０００９】
投薬容器はスリーブを含んでもよく、これは、容器の回転可能な頂部と連結し、その頂部と同期して回転するよう適合させることができる。スリーブは、その長さに沿って１つ又はそれ以上の開口部を含むことができる。各開口部は、選択用量に対応することができる。スリーブは、カップの柱構造上に嵌って流体をリザーバからカップ内へ誘導するための細長孔を形成するよう適合させることができる。柱は、細長孔のための境界の一部を形成し得る、溝などの構造を含むことができる。細長孔は、柱に沿って延びるよう構成することができ、柱を貫通しないよう適合することができる。
【００１０】
別の例示的な実施形態は、パーキンソン病を治療するためのキットに関する。キットは、少なくとも１の選択された量の流体を供給するよう適合された容器を含むことができる。容器は、任意の特定の投薬容器であることができる。例えば、投薬容器は、本願に開示された特徴の１つ又はそれ以上を含む、本願に開示された容器であることができる。キットは更に、濃縮カルビドパ製剤及び濃縮レボドパ製剤を含むことができる。製剤は、流体又は固体（例えば、粉末化）形態であることができ、別々にパッケージングを行うか又は共にパッケージングを行うことができる。製剤は、パーキンソン病の患者を治療するために、この製剤が水中に分散される際に１又はそれ以上の用量の流体薬物を提供するようにも適合させることができる。一実施例において、濃縮カルビドパ及びレボドパ製剤は、約１：４の比である。関連する実施形態において、キットは、複数の容器、濃縮カルビドパ製剤、及び濃縮レボドパ製剤を含むことができる。キットは同一数の各製剤及び容器を有することができる。
【００１１】
別の例示的な実施形態は、パーキンソン病の治療方法に関する。この方法は、カルビドパ及びレボドパを含有し得る１種又はそれ以上の粉末化製剤を提供することを含む。粉末化製剤（１種又は複数）は水中に分散することができ、分散物は、選択された用量の分散した粉末化製剤を提供するよう適合された投薬容器内に収容されている。この方法と共に使用される投薬容器は、指先の運動技能が阻害された患者によって操作可能であるよう適合された容器を含むことができる。場合によっては、投薬容器は容器が分散粉末化製剤（１種又は複数）と共に閉鎖された後にロックすることができ、これにより不正操作を妨げることができる。投薬容器は、この容器が直立位置に配向されている間に圧搾されて、選択された用量の分散粉末化製剤を、容器の流体リザーバからカップへ移動させることができる。
【図面の簡単な説明】
【００１２】
本発明は、以下の「発明を実施するための形態」を添付の図面（必ずしも等尺ではない）と併せて解釈することにより、より完全に理解されるであろう。
【図１Ａ】本発明の実施形態と一致する投薬容器の概略斜視図（参考例）。
【図１Ｂ】図１Ａに示した投薬容器の概略断面斜視図（参考例）。
【図２Ａ】図１Ａに示した投薬容器の数個の部品の概略分解図（参考例）。
【図２Ｂ】図２Ａに示した投薬容器の部品の概略断面図（参考例）。
【図３Ａ】図１Ａに示した投薬容器に使用されるスリーブの概略上面斜視図（参考例）。
【図３Ｂ】図１Ａに示した投薬容器に使用されるスリーブの概略底面斜視図（参考例）。
【図４】図１Ａに示した投薬容器に使用される回転式キャップの概略底面図（参考例）。
【図５】図１Ａに示した投薬容器に使用されるカップの概略上面斜視図（参考例）。
【図６Ａ】図１Ａに示した投薬容器のカップと連結したスリーブの概略断面側面図（参考例）。
【図６Ｂ】図６Ａに示したＡ−−−Ａ線によるカップと連結したスリーブの概略断面上面図（参考例）。
【図６Ｃ】図１Ａに示した投薬容器のストロー、カップ、及び回転可能な頂部の概略底面斜視図（参考例）。
【図７Ａ】本発明のいくつかの実施形態と一致する別の投薬容器の概略斜視図（参考例）。
【図７Ｂ】図７Ａに示した投薬容器の概略断面図。
【図７Ｃ】図７Ａに示した投薬容器の数個の部品の概略分解図。
【図７Ｄ】図７Ａに示した投薬容器に使用されるカップの概略図（参考例）。
【図７Ｅ】図７Ｄに示したカップの概略断面側面図（参考例）。
【図７Ｆ】図７Ｄに示した柱構造の概略斜視図（参考例）。
【発明を実施するための形態】
【００１３】
本明細書に開示される装置及び方法の、構造、機能、製造並びに使用の原理について、総合的な理解を提供するために、特定の例示的な実施形態を以後記載する。これらの実施形態の１つ又はそれ以上の実施例は、添付の図面に示されている。当業者は、本明細書で明確に記載され、添付の図面に示される装置及び方法が、非限定の例示的な実施形態であり、本発明の範囲は、特許請求の範囲のみにより定義されることを理解するであろう。１つの例示的な実施形態に関連して示され又は記載される特徴は、他の実施形態の特徴と組み合わされてもよい。そのような修正及び変形は、本発明の範囲内に含まれるものとする。
【００１４】
例えば、本発明のいくつかの実施形態は、流体薬物供給の様々な態様に関する。このような実施形態は、パーキンソン病（ＰＤ）に罹患した人が、レボドパ及びカルビドパの流体製剤を適切な投与形態及び量で得ることを補助する際に特に有用であることができる。しかしながら、このような実施形態は、様々な他の状況、例えば運動機能の低下に苦しむ他の人、又は別の流体薬物製剤の分配を所望するＰＤ患者のために使用できることが理解される。
【００１５】
運動技能が阻害された人のための投薬容器
本発明のいくつかの実施形態は、投薬容器に関する。本願の目的上、投薬容器は、１又はそれ以上の選択された量の流体をより大きなリザーバから供給できる流体容器を含む。この選択された量は、一般に、導管内に分注される流体の量を使用者が能動的に調整する必要なく、容器により計量することができる。本明細書のいくつかの実施形態は、当業者に周知のものを含む様々な投薬容器を使用することができるが、特定の実施形態では、運動技能が阻害された人によって操作することができる投薬容器を使用している。例えば、使用するための指定量の流体を分配するボトルは公知である。しかしながら、これらのボトルは、通常、所定量の流体を効果的に分配するために、指先の運動技能を使用する必要のある特徴を用いており、例えば、細いつまみを捻って、対応する量の流体をボトルが分配する特定の設定を選択し、用量分注をもたらす特定の位置にボトルを手動で配向させる。したがって、このようなボトルは、現存する投薬容器の使用を妨げるＰＤ又は他の運動技能の欠乏に苦しむ患者による使用に不適切であり得る。
【００１６】
したがって、いくつかの例示的な実施形態は、手の運動技能が制限された人によって操作できる投薬容器に関する。同投薬容器は、分配されるべき流体の備蓄を保持するためのリザーバを含む。容器は、リザーバに連結されるように適合された回転式キャップも含むことができ、このキャップはリザーバに対して概ね回転することができる。回転式キャップは、１つ又はそれ以上の選択された位置へ回転するよう適合させることができ、位置のそれぞれは、容器から分配されるべき選択された流体量に対応している。更に、回転式キャップは、指先の運動技能が阻害された人により把持可能でありかつ回転されるよう適合させることができる。
【００１７】
本明細書に記載されている本発明のいくつかの実施形態と一致する投薬容器は、流体薬物製剤を含む任意の適合可能な流体製剤を保持するのに使用することができる。一実施例において、流体薬物製剤は、水などの媒質中に分散されたカルビドパ及びレボドパの１つ又はそれ以上を含む。カルビドパ及びレボドパは、ＰＤに罹患した人などの患者での使用に適した任意の比であることができる。そのような流体製剤のいくつかは、シリアルナンバー１１／０８３，１６８を有する米国特許出願公開第２００５／０２０３１８５（Ａ１）号、及びシリアルナンバー１０／９２６，７０２を有する米国特許出願公開第２００５／００７０６０８（Ａ１）号に概略されている。勿論、薬物を含有しない流体を含む他の流体製剤も、投薬容器と共に使用することができる。
【００１８】
例示的な投薬容器を図１Ａ〜図６Ｂに示す。図示した投薬容器１００はテーパ形状を有することができ、頂部近辺で一般により小さな断面を有し、底部で一般により大きな断面を有する。このようなテーパ形状の使用は必須ではないが、このような設計は小さな手及び／又は弱い手を有する人による使用を容易にする一方で、容器に安定性を提供することができる。投薬容器１００は、リザーバ１１０及び回転式キャップ１３０を含む。カップ部分１２０は、例えばこのカップ部分１２０がリザーバ１１０に対して固定された状態に留まるようにリザーバ１１０に連結することができる。回転式キャップ１３０は、指標、例えば指示構造１３６、又はいくつかの他のマーキング若しくは構造を含むことができ、これらはカップ１２０に関するキャップ１３０の相対的な回転位置を決定する手段を提供するのに使用される。したがって、使用者が回転式キャップを回転させると、キャップの位置は、装置が選択された量の流体を分注する構成であることを示す１つ又はそれ以上の位置に一致することができる。いくつかの実施形態において、投薬容器は、回転式キャップが、投与量に対応した異なる数の安定な位置、及び／又は容器からの流体の分配を効果的に妨げる（例えば、流体がカップ部分内に流れることを防止する）位置内へと選択的に回転され得るように構成することができる。
【００１９】
図１Ａ及び図１Ｂを参照して、一用量の流体を供給するための例示的な投薬容器の使用法を説明する。一般に、投薬容器は、直立位置に配向することができ、ここで容器は、任意にて、図１Ａに示すように、平面上に静止している。回転式キャップ１３０は、容器から分配されるべき所望の流体用量に対応する位置内へと回転することができる。リザーバ部分１１０を圧搾してリザーバ１１０内の流体をカップ領域１２０内へ移動することができる。特に、カップ１２０内へ移動させられる流体の量は、回転されたキャップ１３０の位置に依存することができ、ここで容器は、所望の流体量を超える又はこの流体量に不足する分配を妨げるよう適合されている。選択された量の流体をカップ１２０内へ分配した後、例えば容器から別の容器内又は使用者の口内へ注いで、選択された量をカップ１２０から取り出すことができる。
【００２０】
上記の説明は、投薬容器を操作できる１つの方法であり、本明細書で述べるいくつかの実施形態と一致する他の投薬容器は、異なる方法で操作できることが理解される。また、流体をリザーバからカップ内へ分配する方法の機構も様々であることができ、いくつかの実施形態と一致するいくつかの詳細を本明細書に記載する。
【００２１】
投薬容器内に保持し得る全流体量、容器により選択的に分配し得る（例えば、キャップを選択位置に回転させ、リザーバを圧搾することにより）選択された流体量は、投薬容器の所望される使用に応じて変動することができる。図１Ａ〜図６Ｃと一致する実施形態を含むいくつかの実施形態において、投薬容器は、少なくとも約２００ｍＬ又は少なくとも約３００ｍＬの全流体容積をリザーバ内に保持することができる。リザーバは、容器内での流体の混合を容易にするために、リザーバ内に保持するべく意図された流体の容積を超えて、例えば約５０ｍＬの追加の上部空間の容積を含むよう設計することができる。加えて、又は別の方法として、容器は、５つの選択位置のいずれか１つに回転され得る回転式キャップを有するよう適合させることができる。その位置の１つは、流体を容器リザーバ外へ分配させないことに対応するＯＦＦ位置であることができる。残りの４つの位置は、選択された流体容積の１／４、１／２、３／４の分配量、及び全用量に対応することができる。一般に、選択された容積の全用量は、任意の容積であることができるが、いくつかの実施形態においては、約１０ｍＬ〜約５０ｍＬの範囲内であり、又は約２５ｍＬ〜約３５ｍＬの範囲であり、又は約２５ｍＬである。特定の実施例において、所定の容積の流体は、１：４の比のカルビドパとレボドパとの混合物を含むことができるが、他の比を用いることもできる。前述のこれらの量は単なる非限定的な例であり、適切に構成された投薬容器内にて任意数の量が使用できることが理解される。
【００２２】
したがって、投薬容器１００の寸法は、いくつかの実施形態にて事前に選択した量により部分的に決定される。また、回転式キャップ１３０などの部品の寸法は、指先の運動制御が阻害された患者による使用を容易にするよう選択することができる。例えば、回転式キャップ１３０は、約２ｃｍを超える直径を有し、約３ｃｍより大きな直径に徐々に先細にしていくことができる。また、回転式キャップ１３０の高さは、約２ｃｍより高くすることができる。これらの寸法は例示的なものであり、他の寸法も使用することができる。
【００２３】
投薬容器１００の回転式キャップ１３０は、任意にてフリップ蓋１３２を含むことができ、このフリップ蓋は、図１Ａ及び図１Ｂに例示するように、キャップの残部にヒンジ結合することができる。フリップ蓋１３２が閉鎖位置にあるとき（例えば、蓋はスナップ式閉鎖を有するよう適合することができ、このスナップ式閉鎖は、任意にて流体密封である）、蓋１３２はカップ１２２の内部空間と流体連通する開口部１３４を覆っている。蓋の回転動作は用量選択の際のキャップの回転と混同される恐れがあるため、回転を必要とする蓋を超える利点をフリップ蓋は提供することができる。この特徴は、容器が、微細運動機能が阻害された人による使用を目的とする場合、特に望ましいものである可能性がある。場合によっては、フリップ蓋１３２は、蓋１３２の閉鎖時のフリップ蓋１３２の位置に対して少なくとも約９０°の角を形成する静止開放位置を有することができる。例えば、図１Ｂ、図２Ａ及び図２Ｂに示すように、開放したフリップ蓋１３２は、キャップ１３０の残部と共に９０°よりはるかに大きな角度１３６を形成する。開放角度は約１４０°よりも大きくなることができ、又は更には１８０°よりも大きくなることもできる。このような特徴を用いることにより、フリップ蓋１３２は、使用者が容易に開口部１３４へアクセスできるように、キャップ１３０の開口部１３４から十分隔たることができ、このことは流体を注ぐこと、又は容器１００から飲むことを容易にすることができる。
【００２４】
図１Ａ、図１Ｂ、図２Ａ及び図２Ｂに示すように、リザーバ１１０はいくつかの種類の構造又はマーキング、例えば、くぼみ１１２を含んでもよく、このくぼみは容器１００に配向を指定することができる。構造又はマーキングは、容器の他の部分にも実施され、又は代替的に他の部分に実施されて、配向を与えることができる。投薬容器の配向は、いくつかの実施形態の必須な特徴ではないが、様々な利点と関連することができ、例えば、容器を使用者に対して配向して容器の使用を容易にする。例えば、図１Ａに示すリザーバ１１２は楕円形の足形を有してもよく、これはくぼみ１１２と共に、容器が流体の分注に使用される際に容器１００を配向させるために使用することができ、例えば、使用者が容器を操作する際に、くぼみ１１２を使用者に向かせる。容器は、リザーバを好ましい配向に保持することにより、容器を圧搾するとリザーバ内の流体がカップ部分内へ移送され得るよう構成することができる。このような配向は、手の運動技能が制限された使用者にとって便利であることができ、そのように構成された場合、容器が短軸方向に沿って容易に圧搾できるよう容器を配置する。
【００２５】
別の実施例において、容器を使用者に対して好ましい配向に配置することにより、容器の回転式キャップが、使用者に対する流体分配を容易にするように配置することができる。例えば、フリップ蓋１３２が回転式キャップ１３０に含まれる場合、図１Ａ、図１Ｂ、図２Ａ、図２Ｂ、図４及び図６Ｃに示す実施形態に例示されるように、容器１００は、開放したフリップ蓋１３２が選択された流体量の容器１００からの分配を妨げないよう、例えばフリップ蓋１３２が容器１００を保持する使用者から離れる方向へ開放するよう適合させることができる。図１Ａに関して、投薬容器１００は、容器１００を保持する使用者にくぼみ１１２が向いている好ましい配向を有することができる。この配向において、容器１００は、回転式キャップ１３０の潜在的な選択可能回転位置のいずれの１つに関しても、開放したフリップ蓋１３２が直接使用者に向かない、すなわち、フリップ蓋は実質的にくぼみ１１２の方向に開放しないよう適合させることができる。それゆえに、使用者は、フリップ蓋１３２が開放された際に、容器１００全体を回転させてフリップ蓋１３２を使用者から離れるように移動することなく、開口部１３４から飲むことができる。そのような特徴は、使用者に利便性を付与する以外にも、手の運動技能が阻害された人にとって特に有用であることができる。
【００２６】
いくつかの実施形態において、リザーバ及び／又は投薬容器の他の部分は、収容された流体が光スペクトルの一部に暴露されることを妨げるよう適合させることができ、この光スペクトルの一部は、１つ又はそれ以上の流体成分を分解又は無効にすることができる。例えば、カルビドパを有する流体製剤は、約４００ｎｍ〜約５５０ｎｍの範囲内の波長を有する可視光に暴露された際に分解することが見出されている。この結果は、カルビドパが３００ｎｍを大きく超える光の波長を吸収しないと思われることから、予想外である。したがって、容器がカルビドパ含有流体の少なくとも約４００ｎｍ〜約５５０ｎｍ範囲内の波長に対する暴露を妨げるよう適合させられている場合、カルビドパの保存を向上することができる。また、別の実施形態は、カルビドパ含有流体に対して染料（例えば、ＦＤ＆Ｃイエロー６）を添加して望ましくない光成分を吸収するなどの、可視光の存在下でカルビドパ含有流体の分解を効果的に低減する他の技術を、組み合わせにて又は単独で使用することができる。当業者に馴染みのある技術を含む他の技術もまた使用することができる。
【００２７】
いくつかの実施形態における投薬容器１００の流体リザーバ１１０からカップ１２０への流体の分配を、図１Ａ〜図６Ｃを参照して説明する。図１Ｂ及び図６Ｃに示すように、容器はストロー１５０を含むことができ、このストローは、リザーバ１１０の壁を圧搾することによるなどの、リザーバ１１０の内部空間が加圧された際に、流体をリザーバ１１０からカップ１２０へ移送するよう適合させることができる。ストロー１５０は、カップ１２０のコネクタ１２１と流体連通することができる。コネクタ１２１は、本明細書に記載したカップ１２０の他の構造と共に、カップ１２０の保持領域１２２内に流体経路を提供することができ、この保持領域は、選択された流体量をそれが容器１００から取り出される前に保持することができる。カップ１２０のコネクタ１２１の配置は、多数の位置で提供することができる。いくつかの実施形態において、図６Ａ及び図６Ｃに示すように、コネクタ１２１はカップ１２０の中心軸線１２９から外れて位置して細長孔１６０に対してより近接した位置に配置することができ、この細長孔は流体をカップ１２０内に移送するのに使用される。
【００２８】
任意の適切な寸法のストローが本明細書に開示した投薬容器と共に使用できるが、いくつかの実施形態において、ストロー１５０の１つ又はそれ以上の寸法はリザーバ１１０からカップ１２０への選択された流体量の供給を向上させるように適合させることができる。一例にて、ストロー１５０は、流体のカップへの正確な供給を容易にするよう選択された内径に適合させることができる。例えば、大きな内径を有するストローは、選択された量の流体を供給する際の誤差源をもたらす。容器１００を傾けてカップ１２０内に保たれた選択量の流体を分配する際、ストロー１５０内のある容積の流体がカップ領域内に流れて、容器１００から注がれる流体の実際量が増大し得る。したがって、いくつかの実施形態において、ストローの内径は、容器により提供される（例えば、リザーバからカップ内に移される）１又はそれ以上の選択された用量の流体が、約２０％、又は約１５％、又は約１０％、又は約５％未満の誤差の範囲内であるよう構成することができる。また、過剰に小さな内径は、流体をストロー１５０に通す際に、より多くの努力を必要とする。これは、投薬容器の操作が困難であり得る、運動技能が阻害された使用者にとって困難をもたらす恐れがある。したがって、いくつかの実施形態は、約２．０３ｍｍ（約０．０８インチ）〜約２．５４ｍｍ（約０．１インチ）、又は約２．２９ｍｍ（約０．０９インチ）〜約２．４１ｍｍ（０．０９５インチ）の直径を有するストローを使用している。いくつかの特定の実施形態は、例えば、流体約６ｍＬ又はそれ以上の用量を供給するのに、約２．３６ｍｍ（約０．０９３インチ）の直径を有するストローを使用することができる。
【００２９】
別の例において、ストロー１５０は、リザーバ１１０のほぼ底部まで延びるよう適合させることができ、例えば底部から約１ミリメートル以下の距離まで延びる。それにより、リザーバ１１０内の流体の実質的に全部の容量をリザーバ１１０外に分配することができる。また、例えば、リザーバ１１０の底部に到達するのに必要な長さよりも長い、過剰な長さを有さないストローを使用することも有利であることができるが、これは、そのような長さは、容器から供給される流体の量の誤差に寄与し得る追加の容積をストロー内に生じ得るためである。したがって、ストローの長さは、供給される選択流体量の誤差を制限する（例えば、約２０％、又は約１５％、又は約１０％、又は約５％未満）ように構成することができる。
【００３０】
いくつかの実施形態と一致して、投薬容器１００は、図２Ａ、図２Ｂ、図３Ａ及び図３Ｂに示すようにスリーブ１４０を含むことができる。スリーブは、カップ及び回転式キャップと共に使用されて、カップ内に分配される流体の量を選択することができる。いくつかの実施形態において、スリーブは、このスリーブが回転式キャップと共に回転するように、回転式キャップと連結するよう適合させることができる。例えば、スリーブ１４０の上面斜視図を示す図３Ａ、及び回転式キャップ１３０の底面図を示す図４を参照すると、スリーブ１４０の隆起した半円構造１４１は、回転式キャップ１３０の開口部１３５内に嵌るよう適合され、また壁１３１は半円構造１４１の周囲に嵌るよう適合させることができる。回転式キャップの突起１３３は、スリーブ１４０の対応する細長孔１４３内に嵌るよう構成されて、スリーブ１４０と回転式キャップ１３０との間の回転連結を向上させることができる。しかしながら、スリーブは投薬容器の他の部分、例えばカップと連結できることが理解される。
【００３１】
一般に、スリーブは柱構造上に嵌るよう適合することができ、これら部品間の相対的な動きが、移動されるべき流体の選択可能な量を決定する。１つの例示的な実施形態において、スリーブ１４０は、図３Ｂに例示されるように柱構造１２５を受容するよう適合された内部領域１４６を含み、この柱構造は、図５に例示するように、任意にてカップ１２０の一部であることができる。図２Ａ、図２Ｂ及び図３Ａに示すように、スリーブ１４０は、１つ又はそれ以上の開口部１４５を含むことができ、これはスリーブ１４０の内部領域１４６と、スリーブ１４０の外部空間（例えば、カップ１２０の保持領域１２２）との間に流体連通を提供するよう適合させることができる。１つを超える開口部が用いられる場合、開口部はスリーブの長さに沿って分配されることができ、各開口部はカップ内に貯まるべき特定の選択可能な流体量に対応している。開口部１４５は、スリーブ１４０の周囲に分配されるよう構成することもできる。スリーブ１４０の周囲に関する開口部１４５の位置は、回転するカップ１３０の選択された回転位置に対応するよう選択することができる。また、位置は、容器１００が特定の配向にあるときにフリップ蓋１３２が使用者の方向に開放しないよう選択することができる。
【００３２】
図５に示すように、柱構造１２５は、柱構造１２５の長さに沿って延びる構造１２３を含むことができる。構造１２３は、図５にて柱構造１２５を完全に貫通しない溝として例示され、図６Ａに示すように、スリーブ１４０が柱構造１２５上に嵌っているときに細長孔１６０の境界を形成することができる。細長孔１６０は柱構造１２５の長さに沿って延びることができ、ストロー１５０のためにコネクタ１２１との流体連通を提供することができる。
【００３３】
上述したように、スリーブ１４０は回転式キャップ１３０と共に回転するように連結することができ、一方、柱構造１２５は固定されたままで適合させることができ、すなわち、回転式キャップ１３０は、カップ１２０に対して回転する。したがって、カップ１２０内に特定の選択された量の流体を提供するために、回転式キャップ１３０は、図６Ａの側面断面図と、図６Ａの点線Ａ−Ａに沿った対応する図６Ｂの上面断面図に示すように、スリーブ１４０の１つの指定された開口部１４５’を、柱１２５の溝構造１２３とスリーブ１４０の壁とで形成された細長孔１６０に整合する選択位置内に回転される。流体がストローを通って上方へ移動されてコネクタ１２１内に入れられるとき、流体は継続して細長孔１６０により案内されることができる。開口部１４５’に到達すると、流体は開口部１４５’を通ってカップ１２０の保持領域１２２内に流れることができる。流体は継続して流れて、液面が開口部１４５’の下唇部１４７の高さを超えるまで、保持領域１２２内に蓄積することができる。保持領域１２２内の流体レベルが下唇部１４７の高さを超えた場合、保持領域１２２内の流体は、保持領域１２２内のレベルが下唇部１４７のレベルと実質的に等しいレベルとなるまで、細長孔１６０を通ってリザーバ１１０内に逆流する傾向を有する。したがって、開口部１４５’の位置は、カップ内に貯まる流体の量を決定することができる。実質的に同様の方法にて、他の開口部は、溝１２３と整合された際に、スリーブ１４０の長さに沿ったこれらの位置に応じて他の流体量を決定することができる。したがって、回転式キャップ１３０及びスリーブ１４０は、スリーブ１４０の開口部１４５と適合させることができ、各開口部がリザーバ１１０からカップ１２０内に貯めるべき所望の流体量に関連した回転式キャップの選択位置に対応する。
【００３４】
流体を供給するための投薬容器のリザーバ１１０、カップ１２０、スリーブ１４０及び回転式キャップ１３０の相互作用に関する以上の説明では、流体供給のための１つの例示的なメカニズムのみが提供される。本発明の範囲内で、１つ又はそれ以上の要素の多数の変形も使用することができる。これらの変形のいくつかは、いくつかの実施形態に従った図７Ａ〜図７Ｆに示す別の例示的な投薬容器にて説明される。図７Ａ及び図７Ｂに示すように、投薬容器２００は、リザーバ２１０、カップ２２０及び回転式キャップ２３０を含む。リザーバ２１０はくぼみ２１２を含むことができ、このくぼみは投薬容器２００に配向を提供することができる。回転式キャップ２３０はフリップ蓋２３２を含んでもよく、このフリップ蓋はぱちんと閉鎖して、そこから流体を取り出すことができる開口部２３４を覆うことができる。したがって、これらの実施形態に一致する投薬容器は、任意に、図１Ａ〜図６Ｃに示した投薬容器１００に関して説明された配向の特徴及び利点を含むことができる。
【００３５】
図７Ｂ及び図７Ｃを参照すると、回転式キャップ２３０は、キャップ２３０とカップ２２０とが共に動くように、すなわち本明細書で記載した他の実施形態に用いられているカップとは異なり、カップ２２０が回転可能であるように、カップ２２０に連結することができる。このような実施形態は、より大きな構造（例えば、キャップとカップとの組み合わせ）を把持し回転させて、分配されるべき流体の選択量を決定することができるため、手の運動技能が制限された人にとって有利であることができる。
【００３６】
図７Ｄ及び図７Ｅに示すように、これらの実施形態のカップ２２０はスリーブ２４０と一体化することができる。カップ２２０は流体保持領域２２２を含み、その内部で選択量の流体を保持することができる。図７Ｆに示すように、スリーブ２４０は１つ又はそれ以上の開口部２４５を含むことができ、この開口部のそれぞれはスリーブ２４０を貫通して内部空洞領域２４１に至っている。開口部２４５はスリーブ２４０の長さに沿って分配することができる。スリーブ２４０の内部空洞領域２４１は、柱構造２２５を受容するように、すなわち、カップ２２０のスリーブ２４０が図７Ｃに示す柱構造２２５上に嵌り得るように適合させることができる。柱構造２２５はコネクタ２２６に連結され、このコネクタはリザーバ２１０に対して固定された状態で連結するよう適合され、すなわち、コネクタ２２６とリザーバ２１０とを連結すると、コネクタ２２６と柱構造２２５は投薬容器２００の流体分配中に回転しない。柱構造２２５は１つ又はそれ以上の開口部２２７を含むことができる。開口部２２７は柱構造２２５を貫通して内部領域２２８に至るよう適合させることができる。内部領域２２８は柱構造２２５の中心軸線に沿って流体経路を形成し、この経路はストロー２５０と連通している。ストロー２５０はリザーバ２１０から柱構造２２５内の内部領域２２８への流体経路を提供することができる。コネクタ２２６は任意にてマーカー又は指標２９０を含んで、回転式キャップ２３０及びカップ２２０が回転される選択位置の同定を補助することができる。マーキング及び指標は、カップ２２０上又はキャップ２３０上にも含むことができる。
【００３７】
選択された流体量のリザーバ２１０から投薬容器２００のカップ２２０への供給は、以下のように達成することができる。使用者は、キャップ２３０及びカップ２２０を共に選択位置へと回転することができる。スリーブ２４０はカップ２２０と共に回転し、またスリーブ２４０の開口部２４５の１つが回転して柱構造２２５の開口部２２７と整合するよう適合させることができる。したがって、リザーバ２１０とカップ２２０の保持領域２２２とを接続する流体経路が、ストロー２５０を介して柱構造２２５の内部領域２２８内に、そして柱構造２２５とスリーブ２４０との開口部２２７、２４５を介して確立される。リザーバ２１０の加圧、例えばリザーバ２１０の壁を圧搾することにより流体が流体経路に沿ってカップの保持領域２２２内に流れることができる。図１Ａ〜６Ｃに示した投薬容器１１０に関して前述したように、カップ２２０内の流体レベルが、選択された流体量に対応するスリーブ２４０の開口部２２７の高さを超えると、カップ内の流体の高さが選択流体量に対応する開口部２２７の下唇部と実質的に同一になるまで、流体がリザーバ２１０内に逆流する。
【００３８】
投薬容器２００の変形は、本明細書に記載されたいくつかの実施形態の範囲内にあることが理解される。例えば、柱構造２２５内の開口部２２７又はスリーブ２４０内の開口部２４５の使用は、同様の機能を実行できる他の構造に置き換えることができ、例えば貫通細長孔を使用して開口部を置き換える。細長孔と他方の構造の開口部との整合により、カップ２２０とリザーバ２１０との間に内部を流体が流れ得る流体経路を画成することができる。いくつかの実施形態において、当業者に周知のものを含む他の同様の構造も組み込むことができる。
【００３９】
図７Ａ〜図７Ｆに示した投薬容器と一致する実施形態は、図１Ａ〜図６Ｃに示した投薬容器に存在しないいくつかの特徴を示し、その逆も同様であるが、１つの投薬容器に関して記載した多数の特徴は、別のものに関して使用できることも理解される。一実施例において、図７Ａ〜図７Ｆに示したものと一致する投薬容器は、図１Ａ〜図６Ｃに示したスリーブ及び柱と同様の構造のスリーブ及び柱を使用することができるが、スリーブは依然として回転可能なカップに連結し、柱は依然としてリザーバに取り付けるためのコネクタに連結する。別の実施例において、図１Ａ〜図６Ｃと一致する投薬容器は、図７Ａ〜図７Ｆに示した開口部を有するスリーブと柱構造とを使用できるが、スリーブの回転式キャップとの連結、及び柱構造の固定されたカップとの一体化は維持される。他の実施例は、ストロー；使用者に関する容器の配向又は非回転要素に関する回転要素の配向を助けるマーキング；投薬容器部品の寸法；容器により分配される流体の量；分配され得る流体の種類；及びその他に関する特徴を含み、これらは、記載した投薬容器、又は本明細書に明白に記載されていない他の投薬容器のいずれかと共に同等に使用することができる。これら全ての変形は本発明の範囲内に含まれる。
【００４０】
本明細書に既に開示した特徴以外にも、投薬容器は流体薬物の分注におけるそれらの使用を容易にし得る追加の特徴も含むことができる。本明細書に開示した投薬容器は、複数回満たされるリザーバを有することができるが、いくつかの実施形態において、投薬容器は使い捨て装置に適合させることができ、すなわち、容器はリザーバ内の全流体を供給後、廃棄されるように設計される。したがって、容器は、プラスチック（例えば、ポリプロピレン）などの比較的安価な材料及び特定の形状の部品に形成され得る他の押出し可能な材料で構成することができる。場合によっては、染料を添加してボトルを着色してもよい。
【００４１】
更に、投薬ボトルが、固体形態と比較して流体形態にて比較的急速に分解する流体薬物を保持するよう設計されている場合、後で流体形態中へ分散するために投薬ボトルに固体形態の薬物を分配することが有益であり得る。投薬ボトルは別個の部品にて分配され、固体薬物を流体中に分散する直前に組み立てることができ、その後、投薬ボトルのリザーバ内に流体薬物が挿入される。したがって、投薬容器のいくつかの実施形態は、そのような場合の使用に合わせて作られた追加の特徴を含む。一実施例において、図２Ａに示したように、投薬ボトルは、例えばリザーバ１１０、カップ１２０、スリーブ１４０、回転式キャップ１３０及びストロー（図示せず）などの別個の部品にて分配することができる。リザーバ１１０はカップ１２０を受容するためのねじを含むことができる。ねじは、任意の標準的なねじであってよいが、標準的な幼児開封防止キャップと一致するねじであることもできる。そのようなねじは、リザーバ内の流体を容器内へ挿入する際の汚染（tampering）から防ぐのを助けることができる。
【００４２】
あるいは、リザーバ１１０及びカップ１２０のねじは、リザーバ１１０とカップ１２０とが共に連結されると、これらが分離しないように共に連結するよう適合させることができる。このねじは、唯一つのリザーバ流体を保持することが意図される使い捨てボトルで有利に使用することができ、それにより流体の汚染又は不慮の使用に対して追加の予防手段を提供する。このような意図的な永久結合は、スリーブ１４０、カップ１２０及び回転式キャップ１３０の間でも有利に使用することができるが、いくつかの実施形態において、キャップ１３０は、カップ１２０に対する回転能力を維持するよう意図される。また幼児開封防止ねじ、永久結合の維持が意図されるねじ、又は他の種類のねじ（例えば、捻って部品を結合及び分離できる標準的なねじ）を任意の投薬容器、例えば図７Ａ〜図７Ｆに示した容器２００の部品と共に使用できることが理解される。
【００４３】
流体薬物のパッケージング及び供給
いくつかの実施形態は、運動機能の技能が低下した人を治療するための投薬容器を含むことができるキットに関する。１つの例示的なキットは、パーキンソン病（本明細書にて「ＰＤ」）を有する人の治療に関する。キットは、少なくとも１の選択された量の流体を供給するよう適合された容器を含むことができる。キットは濃縮カルビドパ製剤及び濃縮レボドパ製剤も含むことができる。製剤は液体形態又は固体形態であることができ、互いに混合することができるか又は別個のパッケージにて保つことができる。カルビドパ及び／又はレボドパの粉末化製剤を使用する実施形態は、これらの材料が固体形態の場合、カルビドパ及び／又はレボドパの活性が一般に、より長期間にわたって保存されるため、有利であることができる。
【００４４】
いくつかの実施形態において、濃縮製剤は、ＰＤの患者を治療するために、製剤が水中に分散された際に１又はそれ以上の用量の流体薬物を提供するよう適合させることができる。例えば、分散濃縮製剤は、シリアルナンバー１１／０８３，１６８を有する米国特許出願公開第２００５／０２０３１８５（Ａ１）号、又はシリアルナンバー１０／９２６，７０２を有する米国特許出願公開第２００５／００７０６０８（Ａ１）号に記載されているカルビドパ及び／又はレボドパ含有流体と一致する流体薬物を形成することができる。例えば、流体製剤は、カルビドパとレボドパとを約１：４の比で有する。
【００４５】
キットに含むことができる容器は、流体薬物を分配するために使用できる任意の種類の投薬容器、例えば本願に開示したものを含む。特に、この投薬容器はキット内である程度分解させることができる。そのようなキットは、分解性の流体薬物を市場に分配することを有利に促進することができる。例えば、キットは、図２Ａに示す部品に分解される投薬ボトルを含むことができ、またカルビドパ及びレボドパの濃縮製剤も含む。キットは製造業者から薬剤師に分配することができる。続いて薬剤師が濃縮製剤を水中に分散し、必要に応じて他の材料を加えて、適切に配合された流体薬物を作製することができる。流体薬物はリザーバ１１０内に配置することができ、容器１００は封止することができる。次に、この組み合わせを、例えばＰＤ患者などの個別消費者に分配することができる。投薬容器１００が、使い捨て、及び／又はリザーバにアクセスできないように封止されているなどの特徴を含む場合、流体薬物の汚染を妨げることができ、消費者安全性の程度の上昇を達成することができる。
【００４６】
関連する実施形態において、キットは、複数の投薬容器を含むことができ、そのそれぞれは選択された用量の流体を供給するよう適合されている。同様に、カルビドパ及びレボドパの複数の濃縮製剤を含むことができる。一実施形態において、同一数の容器、カルビドパ濃縮製剤及びレボドパ濃縮製剤などのキットの部品がパッケージングされる。容器及び濃縮製剤は、上記にて前述した任意の数の特徴を含むことができる。そのような複数の容器及び製剤からなるキットは、カルビドパ／レボドパ流体薬物の市場での分配を促進することができる。キットは、例えば個別に包装された製剤を容器のリザーバ内に配置するといった、利便性のよい任意の様式でパッケージングすることができる。
【００４７】
これらのキットは、本発明の範囲内に留まりながら修正できることが容易に理解される。事実、ＰＤを治療するための他の製剤などの、カルビドパ又はレボドパ以外の異なる種類の薬物製剤を使用することができる。同様に、ＰＤ以外の運動技能疾患などの他の種類の疾患を治療するキットを組み立てることができる。当業者により理解されるものを含むこれらの修正全てが、本明細書において想定される。
【００４８】
別の実施形態は、パーキンソン病又は他の種類の運動疾患などの疾患を治療するための薬物の提供方法に関する。この方法は、カルビドパ及びレボドパを含有する１種又はそれ以上の製剤、例えば、濃縮製剤を提供することを含むことができる。製剤は、水中に分散することができる。分散された製剤は投薬容器内に収容することができる。投薬容器は、選択された用量の分散製剤を提供するよう適合させることができる。本明細書に開示された任意の数の特徴を有する、本願に開示された任意の投薬容器を使用することができる。一実施例において、容器は、指先の運動技能が阻害された患者により操作されるよう適合されている。別の実施例において、投薬容器は、分散製剤が容器内に挿入された後、容器をロックするよう適合させることができ、例えば容器の部品は、組み立てた後、分離できないよう設計され、これにより分散製剤の汚染及び汚物混入（contamination）の可能性を低減することを助けることができる。更に別の実施例において、投薬容器は、容器が直立した配向にある間に容器を圧搾することにより、選択された用量の分散製剤を移動するよう適合させることができる。そのような圧搾は、選択された用量を投薬容器のリザーバ部分からカップ部分へ移動することができる。本願に開示された装置の任意の特徴を用いたこれらの方法に対する修正は、本発明の範囲内に十分含まれることが明らかである。
【００４９】
当業者は、上述した実施形態に基づき本発明の更なる特徴及び利点を理解するであろう。したがって、本発明は、添付の特許請求の範囲により示される場合を除いて、特に説明し記載してきたものによって限定されるべきではない。実際に、前述したように、本明細書に開示される装置及び方法の任意数の特徴を、任意のバリエーション及び順序で組み合わせて、本発明の実施形態を生み出すことができる。本明細書に引用した全ての出版物及び参考文献は、その全体が参照により本明細書に明示的に組み入れられる。
【図１Ａ】
0005631734.tif 000002
【図１Ｂ】
0005631734.tif 000003
【図２Ａ】
0005631734.tif 000004
【図２Ｂ】
0005631734.tif 000005
【図３Ａ】
0005631734.tif 000006
【図３Ｂ】
0005631734.tif 000007
【図４】
0005631734.tif 000008
【図５】
0005631734.tif 000009
【図６Ａ】
0005631734.tif 000010
【図６Ｂ】
0005631734.tif 000011
【図６Ｃ】
0005631734.tif 000012
【図７Ａ】
0005631734.tif 000013
【図７Ｂ】
0005631734.tif 000014
【図７Ｃ】
0005631734.tif 000015
【図７Ｄ】
0005631734.tif 000016
【図７Ｅ】
0005631734.tif 000017
【図７Ｆ】
0005631734.tif 000018